(57)【要約】【課題】バックアップとリストアを電子メールの形式で行うので、ＰＣに通常のクライアント用メールソフトがあればそれで足り、また、どこのＰＣにも保管できるインターネットファクシミリ装置を有するファクシミリネットワーク装置を提供することにある。【解決手段】バックアップ操作にてパラメータ設定を行うインターネットファクシミリ装置Ｂにおいて、テキスト電文の形のメール電文で、指定されたメールアドレスへ送信する。【選択図】        図２
2004282650.tif 000002
【特許請求の範囲】
【請求項１】
バックアップ操作にてパラメータ設定を行うインターネットファクシミリ装置において、該インターネットファクシミリ装置からテキスト電文の形のメール電文により、指定されたメールアドレスへ前記メール電文を送信することを特徴とするファクシミリネットワーク装置。
【請求項２】
前記メール電文を添付文書の形により、指定されたメールアドレスへ送信することを特徴とする請求項１記載のファクシミリネットワーク装置。
【請求項３】
受信したメール電文を、返送操作にて、前記インターネットファクシミリ装置へ送信することを特徴とする請求項１または２記載のファクシミリネットワーク装置。
【請求項４】
前記パラメータ設定がインターネット関連以外のパラメータの設定、およびワンタッチダイヤル、短縮ダイヤル、グループダイヤル等の登録情報の設定を含んでおり、このパラメータ設定のバックアップ、リストアを可能とすることを特徴とする請求項１記載のファクシミリネットワーク装置。
【発明の詳細な説明】
【０００１】
【発明の属する技術分野】
本発明は、ＩＰアドレス、サブネットマスク、デフォルトゲートウェイ、ＳＭＴＰサーバアドレス、ＰＯＰサーバアドレス、ホスト名、メールアドレス、ドメイン名等の多数のパラメータ設定が必要であるインターネットファクシミリ装置を有するファクシミリネットワーク装置に関するものである。
【０００２】
【従来の技術】
ＬＡＮを介してファクシミリ装置と接続されるインターネットファクシミリ装置は公知である。例えば、特許文献１および２が存在する。
インターネットファクシミリ装置へのリモート設定方法も研究されており、ＩＰ−ＬＩＮＫ  Ｍｏｎｉｔｏｒ（ＩＰリンクモニタ）という専用ソフトにより、ＰＣからインターネットファクシミリ装置への設定ができる。但し、バックアップ、リストアはワンタッチダイヤル、短縮ダイヤル、グループダイヤル情報のみである。
また、ＷＥＢにより、ＰＣ（パーソナルコンピュータ）からインターネットファクシミリ装置への設定ができる。但し、バックアップ、リストアはワンタッチダイヤル、短縮ダイヤル、グループダイヤル情報のみである。
【特許文献１】特開平０７ー３３６４８０号公報
【特許文献２】特許第０２７５０８６７号公報
【０００３】
【発明が解決しようとする課題】
インターネットファクシミリ装置においては、多数のパラメータ、例えば、ＩＰアドレス、サブネットマスク、デフォルトゲートウェイ、ＳＭＴＰサーバアドレス、ＰＯＰサーバアドレス、ホスト名、メールアドレス、ドメイン名等のパラメータ設定が必要である。
このため、いったん設定したならば、保管および再設定ができる環境が望まれる。設定情報の保管、或は、再設定は通常よくあるものであるが、インターネットファクシミリ装置と保管先（例えば、ＰＣ）では何らかの制御（ソフト）が必要となる。
そこで本発明の目的は、上記の問題点を解決するために、ＰＣ（パーソナルコンピュータ）の通常のクライアント用メールソフトを利用してバックアップとリストアを電子メールの形式で行い、どこのＰＣにも保管できるインターネットファクシミリ装置を有するファクシミリネットワーク装置を提供することにある。
【０００４】
【課題を解決するための手段】
前記の課題を解決するために、請求項１記載の発明では、バックアップ操作にてパラメータ設定を行うインターネットファクシミリ装置において、該インターネットファクシミリ装置からテキスト電文の形のメール電文により、指定されたメールアドレスへ前記メール電文を送信することを特徴とする。
請求項２記載の発明では、前記メール電文を添付文書の形により、指定されたメールアドレスへ送信する請求項１記載のファクシミリネットワーク装置を主要な特徴とする。
請求項３記載の発明では、受信したメール電文を、返送操作にて、前記インターネットファクシミリ装置へ送信する請求項１または２記載のファクシミリネットワーク装置を主要な特徴とする。
請求項４記載の発明では、前記パラメータ設定がインターネット関連以外のパラメータの設定、およびワンタッチダイヤル、短縮ダイヤル、グループダイヤル等の登録情報の設定を含んでおり、このパラメータ設定のバックアップ、リストアを可能とする請求項１記載のファクシミリネットワーク装置を主要な特徴とする。
【０００５】
【発明の実施の形態】
以下、図面により本発明の実施の形態を詳細に説明する。図１は本実施の形態に使用されるファクシミリ装置を示す概略構成図である。システム制御部１はシステム全体を制御するユニットで、ＣＰＵにより制御している。ＦＡＸ操作部２はオペレータが宛先入力等を行うユニットである。
スキャナ部３は原稿を光学的に読み取り、電気信号に変換するユニットである。プロッタ部４は電気信号を物理的手段により変換し記録紙へ記録するユニットである。メモリ部５はシステム制御部１のプログラムを格納したり、ワーク用メモリ、画像データ蓄積用メモリおよびそれらを制御するユニットである。
画像処理部６は主として、画像データの圧縮、伸長を行うユニットである。通信制御部７は回線へのアクセスと通信プロトコル（Ｇ３／Ｇ４プロトコル）を実行するユニットである。ＬＡＮ制御部８はＬＡＮ回線へのアクセスとプロトコルを実行するユニットである。
図２は、本実施の形態によるファクシミリネットワーク装置のシステム構成を示す概略図である。このシステムは図１で説明したファクシミリ装置Ａを、ＬＡＮを介してルータ９、ＩＰ網１０、ルータ１１、ＰＣ（メールクライアント）１２、そしてＬＡＮを介してインターネットファクシミリ装置Ｂと接続している。図３はインターネットファクシミリ用パラメータの送信操作方法を示す概略図である。ここでは、「操作」側にて操作手順Ｓ１〜Ｓ４を示し、「画面」側にて画面表示Ｇ１〜Ｇ５を示す。図３において、操作側でインターネットファクシミリ用パラメータの設定選択を行う（Ｓ１）。この場合に、画面側ではＧ１の画面が表示されている。操作側で「２」を選択する（Ｓ２）。
これにより画面側ではＧ１の画面の２．インターネットファクシミリ用パラメータの設定が選択され、Ｇ２の画面の２．パラメータのメール送信が選択されることになる。画面側ではＧ３の画面が表示されるので、操作側で送信先メールアドレスを入力し設定する（Ｓ３）。
続いて画面側ではＧ４の画面が表示されるので、操作側で「ＹＥＳ」を入力する（Ｓ４）。これによって画面側ではＧ５の画面が表示され、インターネットファクシミリ装置用パラメータ設定をＴＥＸＴの形式でメール送信する。
このように、バックアップ操作にて、インターネットファクシミリ装置Ｂにおけるパラメータ設定を、メール電文（テキスト電文）の形式で、指定されたメールアドレスへ送信する。メールを受信したＰＣ（パーソナルコンピュータ）ここではメールクライアントでは、メールを見るのと全く同様に閲覧、保管ができる。
【０００６】
図４は図３のインターネットファクシミリ用パラメータ送付（メール文書：ＴＥＸＴ電文）時のパラメータフォーマットを例示す図である。上記の方法でインターネットファクシミリ用パラメータを送付した場合、メール文書の形態を添付文書（マルチパートによる複数パートに分割）とする。
図５は送られたパラメータ情報に異常がある場合の通知文を示す図である。上記で送られてきたメール文書を、テキスト文書の場合はメールクライアントソフトで変更し、ＣＳＶファイルの場合はエクセル等の表計算ソフトで変更する。
変更したパラメータ情報をメール文書にして、インターネットファクシミリ装置Ｂへ送信する。インターネットファクシミリ装置Ｂでは、送られてきたパラメータ情報について整合性をチェックする。
例えば、ＩＰアドレスの場合、すべて数字であること、ＸＸＸ．ＸＸＸ．ＸＸＸ．ＸＸＸの形式になっていること等をチェックした後、正常であれば書き換えを実施し、異常であれば書き換えを行わず、その旨を送信側ＰＣへ通知する。
【０００７】
図６はインターネット関連以外のパラメータ設定および登録情報をバックアップおよびリストアする場合のフォーマットを示す図である。インターネット関連以外のパラメータ設定、および、登録情報（ワンタッチダイヤル、短縮ダイヤル、グループダイヤル等）も同様に上述した方法で、バックアップおよびリストアを行う。
図７はインターネットファクシミリ用パラメータ送付時のパラメータフォーマットの中に、ＩＤとパスワードを設けているフォーマットを示す図である。ＰＣからインターネットファクシミリ装置Ｂへ、パラメータ情報をリストアするにあたりセキュリティを設ける。
インターネットファクシミリ用パラメータ送付時のパラメータフォーマットの中に、ＩＤとパスワードを設ける。ＩＤとパスワードはバックアップ時には付加せず、リストア時のみ付加する。
インターネットファクシミリ装置Ｂでは、送られてきたパラメータ情報についてＩＤとパスワードをチェックし、予め登録したＩＤとパスワードが一致すれば、上述した処理へ移行し、一致しなければ、その旨をメールテキスト電文にて送信側ＰＣへ通知する。
【０００８】
インターネットファクシミリ装置Ｂにおいては、多数の設定が必要であるが、これらのパラメータ保管と再設定を容易にする。これらのパラメータは、例えば、ＩＰアドレス、サブネットマスク、デフォルトゲートウェイ、ＳＭＴＰサーバアドレス、ＰＯＰサーバアドレス、ホスト名、メールアドレス、ドメイン名等である。このため、いったん設定したならば、保管および再設定ができる環境が望まれる。
設定情報の保管、或いは、再設定は通常よく見受けられるものであるが、インターネットファクシミリ装置Ｂと保管先（例えば、ＰＣ）には何らかの制御（ソフト）が必要となる。
本発明のファクシミリネットワーク装置においては、バックアップとリストアを電子メールの形式で行っているので、ＰＣに通常のクライアント用メールソフトがあればそれで達成することができる。
また、どこのＰＣ（メールアドレス）にも送信できるので、管理者およびサービスにも容易に送信できる。本発明では、インターネットファクシミリ装置におけるパラメータ保管と再設定を容易にする。
リストア用にセキユリティを設けるので、パラメータ設定は、単に、インターネットファクシミリ装置で、パラメータ用メール電文を受信するのみである。このため、簡単に行われる改竄を防止できる。
【０００９】
【発明の効果】
以上説明したように、請求項１によれば、バックアップ操作にて、インターネットファクシミリ装置におけるパラメータ設定を、メール電文（テキスト電文）の形式で、指定されたメールアドレスへ送信するので、メールを受信したＰＣではメールを見るのと全く同様に閲覧、保管、変更ができる。
請求項２によれば、バックアップ操作にて、インターネットファクシミリ装置におけるパラメータ設定を、メール電文（添付文書）の形式で、指定されたメールアドレスへ送信するので、メールを受信したＰＣではメールを見るのと全く同様に閲覧、保管、変更ができる。
請求項３によれば、請求項１または２で受信したメール電文を、返送操作にて、インターネットファクシミリ装置に送信することにより、インターネットファクシミリ装置で、パラメータ設定ができる。
請求項４によれば、インターネット関連以外のパラメータ設定、および、登録情報（ワンタッチダイヤル、短縮ダイヤル、グループダイヤル等）も同様にバックアップ、リストアができる。
【図面の簡単な説明】
【図１】本発明に使用されるファクシミリ装置を示す概略構成図である。
【図２】本発明によるファクシミリネットワーク装置のシステム構成を示す概略図である。
【図３】インターネットファクシミリ用パラメータの送信操作方法を示す概略図である。
【図４】図３のインターネットファクシミリ用パラメータ送付（メール文書：テキスト電文）時のパラメータフォーマットを示す図である。
【図５】送られたパラメータ情報に異常がある場合の通知文を示す図である。
【図６】インターネット関連以外のパラメータ設定および登録情報をバックアップおよびリストアする場合のフォーマットを示す図である。
【図７】インターネットファクシミリ用パラメータ送付時のパラメータフォーマットの中に、ＩＤとパスワードを設けているフォーマットを示す図である。
【符号の説明】
Ａ  ファクシミリ装置
Ｂ  インターネットファクシミリ装置
１  システム制御部
２  ＦＡＸ操作部
９  ルータ
１０  ＩＰ網
１１  ルータ
１２  ＰＣ（メールクライアント）
【図１】
2004282650.tif 000003
【図２】
2004282650.tif 000004
【図３】
2004282650.tif 000005
【図４】
2004282650.tif 000006
【図５】
2004282650.tif 000007
【図６】
2004282650.tif 000008
【図７】
2004282650.tif 000009